(57)【要約】【課題】重ねた書類にパンチホールにより形成した二つの綴じ孔に、綴じ紐を通して綴じる場合に、綴じ孔の部分から書類が破損しないように用いられる補強具において、最外側の書類のみではなく綴じ孔の内部の書類の補強もでき、書類の厚みが大きくなっても対応でき、書類を追加して綴じ直すことが容易な綴じ孔補強具を提供する。【解決手段】この綴じ孔補強具１０は、重ねた書類２に形成された二つの綴じ孔６を覆うプレート１４に、綴じ孔６の位置に対応して孔部１６が形成される。この孔部１６の下側に連通して円筒部が形成され、綴じ孔６に挿入される。この綴じ孔補強具１０は、重ねた書類２に表裏から一対が用いられる。【選択図】図1
0003130587.tif 000002
【実用新案登録請求の範囲】
【請求項１】
重ねた書類にパンチホールにより形成した二つの綴じ孔に、綴じ紐を通して綴じる場合に用いられる補強具であって、前記二つの綴じ孔を覆うプレートと、前記綴じ孔の位置に対応して前記プレートに形成される孔部と、この孔部の下側に連通して形成され前記綴じ孔に挿入される外径を有する円筒部と、からなり、前記重ねた書類に表裏から一対が用いられることを特徴とする綴じ孔補強具。
【考案の詳細な説明】
【技術分野】
【０００１】
この考案は、重ねた書類にパンチホールにより形成した二つの綴じ孔に、綴じ紐を通して綴じる場合に、綴じ孔の部分から書類が破損しないように用いられる補強具に関する。
【背景技術】
【０００２】
重ねた書類を綴じる方法として、まず重ねた書類の一方の辺部の近くに、パンチホールにより二つの綴じ孔を形成する。この綴じ孔に綴じ紐を通して結び、綴じる。
しかし、書類が長い間使用され綴じ紐と書類とが擦れることなどにより、綴じ孔の部分から書類が破損することが多い。このような破損が起きないように、種々の補強具が用いられる。
【０００３】
たとえば特許文献１のように、綴じ孔の周囲に、ドーナツ状の紙製や合成樹脂製のシールが貼られる。しかし、このシールは、通常は、最外側の書類にのみ貼り付けられ、その場合には、2枚目以降の書類の補強にはならない。また、最外側の書類にのみでなく、2枚目以降の書類にもシールを貼ることができるが、貼る作業が面倒である。
【０００４】
特許文献２では、この面倒をなくすために、一枚の、あるいは重ねた書類に対して、板クリップ状の金具を取り付け、この金具に綴じ孔を露出させる開口を設けて、補強具としている。
特殊な例として、特許文献３には、枝折に開けたパンチホールに鳩目金具を取り付けて補強し、紐を通してアクセサリーを吊り下げられるようにしたものがある。
【特許文献１】特開平11-309974
【特許文献２】特開平09-286193
【特許文献３】実用新案登録3120982
【考案の開示】
【考案が解決しようとする課題】
【０００５】
しかしながら、特許文献１は既述したように通常は最外側の書類のみを一枚だけ補強するものであり、内部の補強は作業が面倒になる。特許文献２はクリップ状の金具は、重ねた書類の厚みが大きくなると対応できず、対応しようとして複数のクリップ状金具を用いると、この金具の部分が嵩張ってしまう。特許文献３は、鳩目金具をカシメて使うものであり、一枚の枝折に使うものであるが、仮に重ねた書類に適用すると、カシメを元に戻すことが困難なので、事後的に書類を追加して綴じ直すことができなくなる。また、重ねた書類に適用すると、綴じ紐を結ぶ際に、綴じ紐が二つの綴じ孔を近付けようとする圧縮力は、書類を圧縮し、特に表面に近い書類が皺になったり破損したりする。
【０００６】
この考案は、以上の問題点を解決するために、最外側の書類のみではなく綴じ孔の内部の書類の補強もでき、書類の厚みが大きくなっても対応でき、書類を追加して綴じ直すことが容易で、圧縮力で書類が皺になったり破損したりしない綴じ孔補強具を提供することを目的とする。
【課題を解決するための手段】
【０００７】
以上の課題を解決するために、この考案は、重ねた書類にパンチホールにより形成した二つの綴じ孔に、綴じ紐を通して綴じる場合に用いられる補強具であって、前記二つの綴じ孔を覆うプレートと、前記綴じ孔の位置に対応して前記プレートに形成される孔部と、この孔部の下側に連通して形成され前記綴じ孔に挿入される外径を有する円筒部と、からなり、前記重ねた書類に表裏から一対が用いられることを特徴とする綴じ孔補強具である。
【考案の効果】
【０００８】
この考案によれば、プレートに形成される孔部の下側に連通して円筒部が形成され、綴じ孔に挿入されるので、プレートにより最外側の書類が補強されるのみではなく、綴じ孔に挿入された円筒部により内部の書類の補強もできる。
また、補強が必要なのは、最外側の書類と、綴じ孔の所定の深さの書類までであり、よって、綴じ孔の深さが円筒部の長さよりかなり深くなっても十分な補強がなされるので、書類の厚みが大きくなっても対応できる。
【０００９】
そして、円筒部は綴じ孔に挿入されているだけでカシメられてはいないので、円筒部を綴じ孔から抜き出し、書類を追加して綴じ直すことが容易に行われる。
さらに、綴じ紐を結ぶ際に、綴じ紐が二つの綴じ孔を近付けようとする圧縮力は、プレートにより受け止められ、書類に加わることがない。よって、この圧縮力により書類が、特に表面に近い書類が皺になったり破損したりすることが防止できる。
【考案を実施するための最良の形態】
【００１０】
この考案の実施形態を、図１及び図２に示す。
重ねた書類２に、パンチ器具によりパンチホール４が開けられ綴じ孔６とされる。この綴じ孔６は、重ねた書類２の一方の辺部８の近くに、辺部８に沿って並んで二つ開けられる。このって二つの綴じ孔６に、この実施形態に係る綴じ孔補強具１０が取り付けられ、綴じ紐１２が通されて、綴じられる。
【００１１】
この綴じ孔補強具１０は、プラスチック製、または金属製で、二つの綴じ孔６を覆うプレート１４に、綴じ孔６の位置に対応して二つの孔部１６が形成される。これらの孔部１６の下側に、各々円筒部１８が連通して形成される。各円筒部の外径は、綴じ孔６に、程よいきつさとともに、挿入される寸法が採用される。この綴じ孔補強具１０は、重ねた書類２に表裏から一対、すなわち2枚が用いられる。
【００１２】
「実施形態の効果」
この実施形態によれば、綴じ紐１２との擦れに対して、プレート１４により最外側の書類２が補強されるのみではなく、綴じ孔６に挿入された円筒部により内部の書類２の補強もできる。
【００１３】
また、補強が必要なのは、最外側の書類２と、綴じ孔６の所定の深さの書類２までである。十分に深い位置の書類２は、綴じ紐１２との擦れによる破損から免れるからである。よって、重ねた書類２が厚くなり、綴じ孔６の深さが円筒部の長さよりかなり深くなっても十分な補強がなされる。すなわち、書類２の厚みが大きくなっても対応できる。
【００１４】
そして、円筒部は綴じ孔６に挿入されているだけであり、特許文献３のようにカシメられてはいないので、円筒部を綴じ孔６から抜き出し、書類２を追加して、円東部を再び挿入し、綴じ直すことが容易に行われる。
【００１５】
さらに、図３（Ｂ）に示すように、仮に、二つの円筒部の部分を夫々独立した状態で、使用した場合には、綴じ紐１２を結ぶ際に、綴じ紐１２が二つの綴じ孔６を近付けようとする圧縮力は、書類２を圧縮し、特に表面に近い書類２が皺になったり破損したりする。これに対して、本実施形態の綴じ孔補強具１０は、図３（Ａ）に示すように、圧縮力は、プレート１４により受け止められるので、書類２に加わることがない。よって、この圧縮力により書類２が皺になったり破損したりすることが防止できる。
【図面の簡単な説明】
【００１６】
【図１】この考案の一実施形態に係る綴じ孔補強具を、重ねた書類に取り付ける状態を示す斜視図である。
【図２】図1の綴じ孔補強具の拡大図であり、（Ａ）は平面図、（Ｂ）は正面図、（Ｃ）は背面図、（Ｄ）は縦断面図である。
【図３】この考案の一実施形態に係る綴じ孔補強具の効果の一部を示すもので、（Ａ）はその使用状態の縦断面図、（Ｂ）は比較例として、仮に、二つの円筒部の部分を夫々独立した状態で使用した状態の縦断面図である。
【符号の説明】
【００１７】
２…書類、４…パンチホール、６…綴じ孔、８…辺部、１０…綴じ孔補強具、１２…綴じ紐、１４…プレート、１６…孔部、１８…円筒部。
【図１】
0003130587.tif 000003
【図２】
0003130587.tif 000004
【図３】
0003130587.tif 000005